(57)【要約】【課題】大工等の建築作業者が使用する鉛筆ホルダーを提供する。【解決手段】本体部の上端に鉛筆を挿入する筒体状の挿入口部20を有し、その下端には鉛筆の先端側部分を収納する収納部12を有し、本体部11の背面には使用者の衣服のポケットや鞄等に取り付ける取付部16を有する。挿入口部20の上端開口部20uが上方へ向かって拡開するラッパ形状を有する。収納部12の下方部位の内部空間の内径をその上方部分の内径よりも細く形成して細径部を設け、この細径部に鉛筆の先端の被切削部分である傾斜部分の傾斜面が当接し、鉛筆の先端の芯が収納部12の内周面に接触しない。挿入口部20の下端部分に、その下端縁から上方に向かって複数のスリット20sを設ける。収納部12を本体部11と着脱自在とする。取付部16を本体部11背面の上端部から下方に延長するクリップ形態とした。【選択図】図１
2016068456.tif 000002
【特許請求の範囲】
【請求項１】
本体部の上端には鉛筆を挿入するための筒体状の挿入口部を有し、本体部の下端には鉛筆の先端側部分を収納する収納部を有し、本体部の背面には使用者の衣服のポケットやベルト又は鞄等に取り付けることができる取付部を有し、
前記挿入口部の上端開口部が上方へ向かって拡開するラッパ形状を有していることを特等とする鉛筆ホルダー。
【請求項２】
前記収納部の内部空間の下方部位の内径をその上方部分の内径よりも細く形成して細径部を設け、この細径部に鉛筆の先端の被切削部分である傾斜部分の傾斜面が当接し、鉛筆の先端の芯が収納部の内周面又は底面に接触しないことを特徴とする請求項１に記載の鉛筆ホルダー。
【請求項３】
前記挿入口部の下端部分を柔軟に形成し、且つこの下端部分の内径を鉛筆の最大外径よりも小さく形成することにより、挿入される鉛筆を一時的に保持できるようにしたことを特徴とする請求項１又は２に記載の鉛筆ホルダー。
【請求項４】
前記挿入口部の下端部分に、その下端縁から上方に向かって複数のスリットを設け、挿入口部の下端部分をより柔軟にしたことを特徴とする請求項３に記載の鉛筆ホルダー。
【請求項５】
前記収納部が本体部と分離できる構成とし、この収納部の本体部への取り付け位置を変更できるようにしたことを特徴とする請求項１乃至４の何れか１項に記載の鉛筆ホルダー。
【請求項６】
前記取付部が本体部背面の上端部から下方に延長するように形成されたクリップ形態のものからなることを特徴とする請求項１乃至５の何れか１項に記載の鉛筆ホルダー。
【発明の詳細な説明】
【技術分野】
【０００１】
本発明は、鉛筆を収納し、建築作業者等が所持する工具鞄又は衣服のポケットやベルトに取り付けて使用できる鉛筆ホルダーに関するものである。
【背景技術】
【０００２】
本発明は、大工等の建築作業者が使用し易い鉛筆ホルダーを創案することを目的としている。
通常、大工等の建築作業者は、シャープペンシルを使用せずに普通の鉛筆を使用し、その先端部分を切削して芯を尖らせたものを使用している。鉛筆の方が芯が折れ難いからである。
【０００３】
従来技術としては、下記特許文献に記載の鉛筆ホルダーを挙げることができる。
このホルダーは、鉛筆を使用する作業現場において、通常鉛筆は上着の胸ポケットや腰に下げる道具袋に差し入れて収納するが、この場合、鉛筆が短くなると、横倒しになったり、頭がもぐり込んで取り出しにくくなるため、ポケットや腰に下げる道具袋に収納しなくてもすむよう、別個円筒状の鉛筆差しに一本ずつ差し留め、これを衣類の前明き部分をはじめ自由な場所に外側からはさみ留めできるよう、クリップ式の鉛筆ホルダーを提供することを課題とするものである。
【０００４】
その構成は、クリップの刃の外側に、両端を開放した、又は、一端を閉鎖した円筒状の鉛筆差し部を設ける。
また、クリップの刃の外側に、放射状に切れ目を入れた弾性材による底を有する円筒状の鉛筆差し部を設ける。
当該従来発明は、以上のような構成を特徴とするクリッブ式鉛筆ホルダーである
【先行技術文献】
【特許文献】
【０００５】
【特許文献１】特開２００１−２０５９７７号公報
【発明の概要】
【発明が解決しようとする課題】
【０００６】
本願発明においては、建築作業者がその作業服のポケット部やベルト部、或いは作業鞄に容易に取り付けて使用でき、しかも、簡単に鉛筆の収納及び取り出しをすることができる鉛筆ホルダーを提供することをその課題としている。
更に、本発明においては、鉛筆をより収納（挿入）し易くできるための工夫をすること、鉛筆の先端部の芯が簡単には折れてしまわないような構成を創案すること、また、鉛筆が短くなった場合でも、使いやすさが維持できる工夫をすることをその課題としている。
【課題を解決するための手段】
【０００７】
上記課題を解決するために、本発明の第１のものは、本体部の上端には鉛筆を挿入するための筒体状の挿入口部を有し、本体部の下端には鉛筆の先端側部分を収納する収納部を有し、本体部の背面には使用者の衣服のポケットやベルト又は鞄等に取り付けることができる取付部を有し、前記挿入口部の上端開口部が上方へ向かって拡開するラッパ形状を有していることを特等とする鉛筆ホルダーである。
【０００８】
本発明の第２のものは、上記第１の発明において、前記収納部の内部空間の下方部位の内径をその上方部分の内径よりも細く形成して細径部を設け、この細径部に鉛筆の先端の被切削部分である傾斜部分の傾斜面が当接し、鉛筆の先端の芯が収納部の内周面又は底面に接触しないことを特徴とする鉛筆ホルダーである。
【０００９】
本発明の第３のものは、上記第１又は第２の発明において、前記挿入口部の下端部分を柔軟に形成し、且つこの下端部分の内径を鉛筆の最大外径よりも小さく形成することにより、挿入される鉛筆を一時的に保持できるようにしたことを特徴とする鉛筆ホルダーである。
【００１０】
本発明の第４のものは、上記第３の発明において、前記挿入口部の下端部分に、その下端縁から上方に向かって複数のスリットを設け、挿入口部の下端部分をより柔軟にしたことを特徴とする鉛筆ホルダーである。
【００１１】
本発明の第５のものは、上記何れかの発明において、前記収納部が本体部と分離できる構成とし、この収納部の本体部への取り付け位置を変更できるようにしたことを特徴とする鉛筆ホルダーである。
【００１２】
本発明の第６のものは、上記何れかの発明において、前記取付部が本体部背面の上端部から下方に延長するように形成されたクリップ形態のものからなることを特徴とする鉛筆ホルダーである。
【発明の効果】
【００１３】
本発明の第１のものにおいては、本体部の上端には鉛筆を挿入するための筒体状の挿入口部を有し、本体部の下端には鉛筆の先端を収納する収納部を有し、本体部の背面には使用者の衣服のポケットやベルト又は鞄等に取り付けることができる取付部を有し、前記挿入口部の上端開口部が上方へ向かって拡開するラッパ形状を有しているため、鉛筆を収納部に収納する際に、この挿入口部の上端開口部の内径が大きく拡開されているために、挿入口部の開口部に向かって鉛筆を適宜斜め方向から差し込んでも、問題なく、前記拡開する開口部が適切に鉛筆の先端部を案内して筒体状の挿入口部に挿入され、その後収納部内に収納されることとなるのである。
【００１４】
本発明の第２のものにおいては、収納部の形態をより限定したものであり、収納部の内部空間の下方部位の内径をその上方部分の内径よりも細く形成して細径部を設け、この細径部に鉛筆の先端の被切削部分である傾斜部分の傾斜面が当接し、鉛筆の先端の芯が収納部の内周面や底面に接触しないようにしたことを特徴としているために、鉛筆の先端の芯が折れる心配が少なくなる。
【００１５】
本発明の第３のものにおいては、挿入口部の下端部分を柔軟に形成し、且つこの下端部分の内径を鉛筆の最大外径よりも小さく形成することにより、挿入される鉛筆を一時的に保持できるようにしているために、鉛筆をきちんと収納部内まで挿入せずとも、この挿入口部で保持されることとなるのである。
或いは、鉛筆が短くなった際には、その先端部が収納部まで届かなくなることがあり、その際にも、前記挿入口部の下端部分にて当該短くなった鉛筆を保持することができることとなるのである。
【００１６】
本発明の第４のものにおいては、上記第３の発明を更に限定したものであって、即ち、前記挿入口部の下端部分に、その下端縁から上方に向かって複数のスリットを設け、挿入口部の下端部分をより柔軟にしたことを特徴としたものである。
即ち、この複数のスリットの存在により、挿入口部の下端部分がより柔軟なものとなり、挿入される鉛筆をより良好に保持できることとなるのである。
【００１７】
本発明の第５のものにおいては、収納部の構成をより限定したものであり、つまり、前記収納部を本体部と分離できる構成とし、この収納部の本体部への取り付け位置を変更できるようにしたのである。
これにより、鉛筆が短くなった際には、この収納部の本体部への取り付け位置を上方にすることにより、ホルダー自体の全体長さを鉛筆に対応させて短くすることができることとなるのである。
【００１８】
本発明の第６のものにおいては、取付部をより限定したものであり、即ち、前記取付部が本体部背面の上端部から下方に延長するように形成されたクリップ形態のものからなることを特徴とするものであり、これにより、使用者である建築作業者等の作業服のポケット部やベルト部、或いは作業鞄の適宜位置に簡単に引っ掛けて取り付けることが出来ることとなるのである。
【００１９】
このクリップ形態というのは、いわゆる万年筆等の筆記具に用いられているものを指称するものであるが、その上端部から下方に延長する取付部の上端部に板バネが設けられたものであってもよく、各種の筆記具に用いられているものを採用することができる。
更に、このクリップ形態のものとしては、ネクタイピンに装備されているような板バネ付きのものを用い、根元部に設けられた把持部を押圧することにより先端部が拡開し、その先端部をポケットに挿入して把持部の押圧を除去することにより、ポケットの縁部を挟持できるようなものであってもよいのである。
【図面の簡単な説明】
【００２０】
【図１】本発明の鉛筆ホルダーに係る一実施形態の全体斜視図である。
【図２】上記実施形態に係る鉛筆ホルダーの分解斜視図である。
【図３】図１の中央縦断面図である。
【図４】上記実施形態に係るホルダー内に鉛筆を収納した状態を示す側面図である。
【発明を実施するための形態】
【００２１】
以下、添付の図面と共に本発明の一実施形態について説明する。
図１は、本発明の鉛筆ホルダーに係る一実施形態の全体斜視図である。
本発明に係る鉛筆ホルダー１０は、その全体がプラスチック製であり、その本体部１１の下方部分に鉛筆の先端側部分を収納できる収納部１２が設けられている。
そして、この収納部１２は、本体部１１から分離可能に形成されている。
【００２２】
即ち、この収納部１２は本体部１１と着脱自在に形成されており、その本体部１１への取り付け位置を異ならせることにより、その上下方向の全長を長短自在に変更できる。
勿論、この収納部１２を本体部１１と一体的に形成することも可能であり、本発明においては後に説明する挿入口部２０の構成により、本体部１１の全長を変更しなくとも何ら問題は生じないものとなっている。
【００２３】
この収納部１２は、底面開口の筒体形状を有し、底部の側に向かって徐々にその内径が小さくなるように形成されている。
勿論、この収納部は、底部の内径を小さくせずに、その上端から底部まで同径の円筒形状のものとしてもよい。
収納部１２の上端の開口部１３は、その開口面が前面側（図中左側）に大きく切り欠かれて斜めに傾斜するように形成されているが、この切欠は設けなくともよい。
【００２４】
収納部１２の背面側（図中右側）の上方部から上方に延長するように柱状部１１ｐが設けられ、この柱状部１１ｐの上端部から背面側下方に向かって延長するように取付部１６としてのクリップが形成されている。
この取付部（クリップ）１６によって、被取付部位である工具鞄やズボンのポケット、上衣の胸ポケット、或いはベルトに取り付けることができる。
【００２５】
取付部１６の内側面には、適宜抜け防止用の突起部１６ｔ（図３参照）を設けておくことが好ましい。
この取付部１６としてのクリップは、いわゆる万年筆やボールペン等の筆記具に備えられているものと同様の形態のものである。
【００２６】
より詳しく説明すると、このクリップというのは、本体部１１の上端部から下方に延長する形態のものであって、その素材の弾性力により、その下端部が外側に拡開されても、元に復元する力を有しているものである。
このクリップの根元部には、板バネを設けて、その下方先端部が拡開し且つ元の位置に復帰する形態ものであってもよい。
【００２７】
更には、ネクタイピン（クリップ形態のもの）の如き形態のものを採用することもでき、即ち、その上端部に板バネを配設し、上端部に把持部（押圧部）を設け、この押圧部を押すことによって、その下方先端部が拡開し、前記押圧部から力を除くと、前記下方先端部の拡開が閉じる形態のものであって、この上端押圧部を押圧して、先端部を拡開し、ポケットの内側にその先端部を挿入して、ポケットの縁部に取り付けることができるような取付部であってもよいものである。
尚、上記本体部１１の柱状部１１ｐの下方部分は、収納部１２の背面側と相互に係合可能に形成されているが、この点については後の図２により説明する。
【００２８】
本体部１１の上端部の前方側には、鉛筆を挿入するための筒体形状の挿入口部２０が設けられている。
この挿入口部２０は、本体部１１の柱状部１１ｐの上端部から前方側に延長する支持腕２１に保持されている。
即ち、この支持腕２１の先端部の貫通孔に前記筒体形状の挿入口部２０の本体部が挿通されて固定される。
【００２９】
この挿入口部２０の本体部１１への固定は、自由に設計でき、一体的に成形することも可能である。
そして、この挿入口部２０は、その上端開口部２０ｕが上方に向かって拡開するようにラッパ形状を有しており、鉛筆の先端を少し斜め方向から挿入しても問題なく挿入できるように形成している。
【００３０】
他方、挿入口部２０の下端部分は、柔軟に形成されており、鉛筆を挿入口部２０内に挿通させると、この柔軟な下端部分が鉛筆の軸部を保持できるように構成している。
この実施形態では、更に、この下端部分に複数のスリット２０ｓを設けており、下端部分の柔軟性をより向上させている。
【００３１】
更に詳述すると、この挿入口部２０の下端部分の内径は、鉛筆の軸部の最大外径よりも小さく形成し、これにより鉛筆を挿通口部２０に挿通した際に、鉛筆の軸部を一時的に保持できるようにしている。
そして更に、この挿入口部２０の下端部分の柔軟性を向上させるために、上記した通りスリット２０ｓをその下端から上方に向かって複数設けたのである。
【００３２】
以上の構成により、挿入される鉛筆は、その先端が収納部１２内の突き当たりまで挿入されない状態でも、保持されることとなるのである。
尚、収納部１２内部の構造については、後の図３により説明する。
【００３３】
図２は、上記実施形態に係る鉛筆ホルダーの分解斜視図である。
この図から解る通り、本発明に係るホルダーにおいては、収納部１２がホルダーの本体部１１から着脱可能に分離・合体ができる。
即ち、収納部１２の背面側の上下方向には、横断面略長方形の長孔から成る係合受部１７が形成され、この係合受部１７と係合する係合部１８が柱状部１１ｐの下方部分に形成され、これら係合受部１７に係合部１８が嵌入し、適合して両者が合体される。
【００３４】
ここで、係合受部１７の前方縦方向には、切れ目１７ｃが形成され、この切れ目１７ｃに本体部１１の係合部１８の前面縦方向に形成された突条部１８ｐが係合し、係合受部１７と係合部１８を良好に適合できる構造としている。
【００３５】
更に、係合部１８の下端背面側には突出部１８ｔが形成され、係合受部１７の途中に列設された３つの係合孔部１７ｈのそれぞれに係合できるように構成されている。
これにより、３つの係合孔部１７ｈの何れかに前記突出部１８ｔを係合させることにより、収納部１２の位置が決定され、本発明に係る鉛筆ホルダー１０が完成する。
つまり、上記突出部１８ｔと係合孔部１７ｈとの相互の係合、固定により、鉛筆ホルダー１０の上下方向長さが決定され、且つ、収納部１２がホルダーの本体部に固定されるのである。
【００３６】
図３は、図１の中央縦断面図である。
尚、この実施形態においては、収納部１２の底部が開口された状態であるが、この底部は封鎖されたものであってもよい。
この図から、柱状部１１ｐの下方の係合部１８とその下端の突出部１８ｔと収納部１２の背面側に列設された係合孔部１７ｈとの関係を見て取ることができる。
【００３７】
柱状部１１ｐの下方の係合部１８は薄板状の形態を有し、その前面中央縦方向に突条部１８ｐが形成され、これに適合するように、収納部１２の背面側に係合受部１７が上下方向に形成されている。この係合受部１７は、横断面略長方形の縦方向の孔部であり、その前方中央縦方向に切れ目１７ｃが形成されている（図２参照）。
【００３８】
柱状部１１ｐの係合部１８の下方先端部の突出部１８ｔを収納部１２の係合受部１７内に導入し、下端の突出部１８ｔを収納部１２の係合受部１７の３つの係合孔部１７ｈの何れかと係合させて固定することができるのである。
この係合孔部１７ｈの数は、最低１個でもよい。この係合孔部１７ｈを設ける位置により、収納部１２の位置も決定され、その係合孔部１７ｈの位置も変更して設けることができるからである。
【００３９】
この実施形態においては、上記した通り、上端部の挿入口部２０と、収納部１２の内周面構造に特徴を有している。
挿入口部２０は、この断面から良く解る通り、その上端開口部が上方に向かって拡開するようなラッパ形状を有しており、鉛筆を挿入し易く形成している。
【００４０】
そして、その下端部分には、スリット２０ｓを下端から上方に向かって複数設けており、挿入口部２０の下端部分の柔軟性を向上させている。
また、この挿入口部２０の下端部分の内径を鉛筆の最大外径よりも小さい内径としており、鉛筆Ｐをこの挿入口部２０内に挿入すると、鉛筆Ｐは、収納部１２内の突き当たりまで挿入されない状態であっても、その位置で保持される構成としている。
【００４１】
他方、収納部１２の内周面においては、その内周面の一部に細径部１２ｈを形成している。
この細径部１２ｈは、収納部１２の内周面の適宜位置に周方向に設けた突条部からなる。
つまり、この細径部１２ｈは、その内径がその上方部分の収納部１２の内径よりも小さく形成しているのである。
【００４２】
これにより、前記細径部１２ｈに、鉛筆の先端切削部の傾斜面が当接することとなり、これにより鉛筆の先端の芯の部分が収納部１２の内壁面及び底面部（この図３では底面部はない）と接触しないこととなるのである。
この構成を採用することにより、収納される鉛筆の先端の芯が収納部１２に収納されても、折れてしまう恐れが防止されるのである。
【００４３】
図４は、鉛筆を上記実施形態に係るホルダー内に収納した状態を示す側面図である。
鉛筆Ｐは、従来からある断面６角でも円形のものであってもよく、挿入口部２０によって鉛筆Ｐの軸部が保持されるとともに、この図では見て取れないが（図３参照）、鉛筆Ｐの先端の被切削部の傾斜面が収納部１２の内部の細径部に当接した状態に保持されるものである。
【００４４】
係合部１８の下端の突出部１８ｔを係合孔部１７ｈから離脱させる際には、突出部１８ｔを係合孔部１７ｈの外側から指先の爪部で押し込むことによって、両者の係合を解除して、離脱させ、係合部１８を係合受部から離脱させることができる。
勿論、先端の尖った物品を利用して、突出部１８ｔと係合孔部１７ｈとの係合離脱を行なうことも当然可能である。
【００４５】
更に、本実施形態においては、上記係合部１８の突出部１８ｔと収納部１２の係合孔部１７ｈとの係合は、これを強制的に離脱させることができる程度のものである。
即ち、係合部１８（本体部１１）と収納部１２とを両手でそれぞれ把持して、強制的に反対方向に引き離す方向に力を加えることにより、容易に離脱・分離することができるものである。
【００４６】
以上、実施形態について説明したが、本発明においては以下の通り種々設計変更することができる。
本発明に係る鉛筆ホルダーにおいては、収納部の形状や大きさ等を種々設計変更することができる。
挿入口部の上下方向の長さも自由に設計することができるし、この挿入口部を本体部と一体的に形成することも可能である。
【００４７】
挿入口部の下端部分に設けたスリットの数も自由であり、スリットの周方向の間隔も自由に設計することができる。
要するに、この挿入口部の下端部で鉛筆の軸部を保持できる構成であればよい。
取付部は、クリップ形態ばかりでなく、ベルト挿通部として形成することもできるし、これらクリップとベルト挿通部の両者を共に設けてもよい。
【００４８】
更に、取付部は、上記した通り各種のものを採用することができ、筆記具に設けられているクリップや、ネクタイピンに設けられているような、根元部を押圧して先端部を拡開し、根元部の押圧を解除する事によりその先端部が閉じてポケット部等に取り付けることができるようなものであってもよい。
【００４９】
現在では、このようなクリップとして、合成樹脂製で板バネを用いずに梃子式で、根元部を引き起こすことにより先端部が拡開し、根元部を押し込むことにより先端部が閉鎖するタイプのものも存在しており、この取付部は、現在市場にある各種のクリップ形態のものを利用して適用することができるものである。
【００５０】
収納部の底部は、上記実施形態では開放されているが、有底のものとして塞がっているものであってもよい。
有底のものにあっては、その底部内面にスポンジ等の弾性部材を内装することもできる。
収納部に設けた係合受部とホルダーの本体部側の係合部との係合構造についても、上記実施形態に限られず自由に設計変更可能である。
収納部に列設した複数の係合孔部も１つのみ設けるものであってもよいが、ホルダーの全長を調整できるものとして、複数設けておくことが望ましく、その数も４個以上でもよい。
【００５１】
係合孔部は、収納部の背面側に設けたが、収納部の内面側に開口するように形成することもできる。
この場合には、係合部の下端に設けた突出部は、係合部の背面側と反対の前面側に設ける必要がある。
【００５２】
収納部の内周面に設けた細径部の構成も自由に設計することができ、単なる環状の周方向の突条部でなく、収納部の内径を、その上方部分の内径よりも小さくすればよく、即ち、鉛筆の先端被切削部の傾斜面を当接できる構造であればどのような構造を採用するのも自由である。
【００５３】
尚、上記実施形態においては、ホルダーの本体部から収納部を分離可能に、ツーピースのものとして説明したが、その使い方は、使用者が自由に決定することができる。
即ち、長さの短い鉛筆の場合には、収納部を取り外したままで挿入口部に保持させ、鉛筆の先端部を露出させたままの状態で使用することもできる。
本発明においては、この挿入口部が鉛筆の軸部を保持したままの状態を維持できるからである。
【００５４】
鉛筆の先端の芯の保護のために、収納部を必須のものと考える使用者の場合には、収納部を常に取り付けた状態で使用できるし、個々の需要者又は使用者の要望を充足できるように創案されたものである。
勿論、本発明に係る鉛筆ホルダーは、本体部と収納部とを別体に形成せずに一体的に製作することも可能である。
【００５５】
以上、本発明は、大工等の建築作業者に喜ばれるこれまでにない独創的な鉛筆ホルダーを創案し、削りたての新品の鉛筆でも、短くなった鉛筆でも簡単にホルダーに収納することができ、作業者のポケット等に簡単に取り付けることができる便利な鉛筆ホルダーを提供することができたものである。
【符号の説明】
【００５６】
１０  鉛筆ホルダー
１１  本体部
１１ｐ  柱状部
１２  収納部
１２ｈ  細径部
１６  取付部（クリップ）
１７  係合受部
１７ｃ  切れ目
１７ｈ  係合孔部
１８  係合部
１８ｐ  突条部
１８ｔ  突出部
２０  挿入口部
２０ｓ  スリット
２０ｕ  開口部
２１  支持腕
Ｐ  鉛筆
【図１】
2016068456.tif 000003
【図２】
2016068456.tif 000004
【図３】
2016068456.tif 000005
【図４】
2016068456.tif 000006